(57)【要約】【課題】本発明は、小型で取り扱いの容易なＧＰＳ機能を有するカメラを提供する。【解決手段】本発明のＧＰＳ機能付きカメラ１０は、金属製のホットシュー２０にＧＰＳのアンテナの機能を兼用させるとともに、アンテナであるホットシュー２０が受信したＧＰＳ人工衛星からの電波に含まれる情報に基づき地球上での受信位置情報を演算する位置演算回路部４２をカメラ本体１４に内蔵させた。この位置演算回路部４２は、ホットシュー２０にＧＰＳ配線４４を介して接続された電子基板４６に実装される。ＧＰＳ機能付きカメラ１０によれば、カメラ本体１４の既存部品であって外部に露出しているホットシュー２０に、ＧＰＳ用のアンテナの機能を持たせたので、ＧＰＳ装置自体のアンテナが不要になる。したがって、小型で取り扱いの容易なＧＰＳ機能付きのカメラとなる。【選択図】      図１
2006154278.tif 000002
【特許請求の範囲】
【請求項１】
カメラ本体と、
前記カメラ本体に設けられた金具と、
前記金具と兼用されるとともに、位置測位システムの人工衛星から発信される電波を受信するアンテナと、
を備えたことを特徴とするカメラ。
【請求項２】
前記金具は、外部ストロボ取付用金具であることを特徴とする請求項１に記載のカメラ。
【請求項３】
前記金具は、ストラップ取付用金具であることを特徴とする請求項１に記載のカメラ。
【請求項４】
カメラ本体と、
前記カメラ本体に起伏自在なポップアップアーム部に取り付けられたストロボ発光部と、
前記ストロボ発光部の前記ポップアップアーム部に設けられるとともに、位置測位システムの人工衛星から発信される電波を受信するアンテナと、
を備えたことを特徴とするカメラ。
【請求項５】
前記カメラのカメラ本体には、前記アンテナで受信した電波に含まれる情報に基づき地球上での受信位置情報を演算する演算部が着脱自在に取り付けられていることを特徴とする請求項１、２、３又は４のうちいずれか一つに記載のカメラ。
【請求項６】
前記演算部の本体は、前記カメラ本体の底部に設けられた三脚取付用雌ねじ部に雄ねじを介して取り付けられることを特徴とする請求項５に記載のカメラ。
【請求項７】
前記カメラのカメラ本体には、前記アンテナで受信した電波に含まれる情報に基づき地球上での受信位置情報を演算する演算部が内蔵されていることを特徴とする請求項１、２、３又は４のうちいずれか一つに記載のカメラ。
【発明の詳細な説明】
【技術分野】
【０００１】
本発明はカメラに係り、特に位置測位システム（以下、ＧＰＳ(global positioning system) と称する）の人工衛星から発信される電波を受信することにより地球上での位置情報を取得するカメラに関する。
【背景技術】
【０００２】
近年では、ＧＰＳ機能を備えたカメラ及びカメラ付き携帯電話機が市販されている。このようなＧＰＳ機能付きのカメラは、人工衛星から発信される電波を、ＧＰＳ装置のアンテナが受信して演算部により地球上での位置情報を取得し、この位置情報をカメラに内蔵された電子記録媒体に記録したりディスプレイに文字表示したりしている。
【０００３】
また、特許文献１には、ＧＰＳ用のアンテナと演算回路とを収納してなるＧＰＳ本体部に支持部を接続し、この支持部を介してＧＰＳ本体部をカメラ本体のホットシュー（外部ストロボ取付部）に着脱自在に取り付けたＧＰＳ機能付きカメラが開示されている。このカメラによれば、支持部とホットシューとを介して、ＧＰＳ本体部とカメラ本体部との間で信号の送受信が行われる。同様に、特許文献２においても、カメラ本体のホットシューに、アンテナ等を備えたＧＰＳ装置を着脱自在に取り付けたＧＰＳ機能付きカメラが提案されている。
【特許文献１】特開２００２−３５０９７２号公報
【特許文献２】特開２００３−３３７３７４号公報
【発明の開示】
【発明が解決しようとする課題】
【０００４】
しかしながら、特許文献１、２に開示されたＧＰＳ機能付きカメラは、ＧＰＳ用のアンテナと演算部とを備えた大型のＧＰＳ装置をカメラ本体に取り付けるものなので、カメラの操作に悪影響を与えるという問題があった。特に、特許文献１、２の如くカメラ本体の上部に設けられたホットシューにＧＰＳ装置が取り付けられると、カメラ全体の重心位置がＧＰＳ装置側（上側）に位置するのでカメラの安定性が悪くなり、手振れの原因になるという欠点があった。
【０００５】
本発明は、このような事情に鑑みてなされたもので、小型で取り扱いの容易なＧＰＳ機能を有するカメラを提供することを目的としている。
【課題を解決するための手段】
【０００６】
請求項１に記載の発明は、前記目的を達成するために、カメラ本体と、前記カメラ本体に設けられた金具と、前記金具と兼用されるとともに、位置測位システムの人工衛星から発信される電波を受信するアンテナと、を備えたことを特徴としている。
【０００７】
本願発明は、カメラ側の既存の金具や部品にＧＰＳ装置の機能を兼用させたり付加させたりすることによりＧＰＳ装置自体を小型化し、小型で取り扱いの容易なＧＰＳ機能を有するカメラを提供するものである。
【０００８】
請求項２に記載のカメラによれば、カメラ本体の既存の金具であって外部に露出している外部ストロボ取付用金具に、ＧＰＳ用のアンテナの機能を持たせたものである。これにより、ＧＰＳ装置自体にはアンテナが不要になるのでＧＰＳ装置が小型化し、したがって、小型で取り扱いの容易なＧＰＳ機能を有するカメラを提供できる。また、外部ストロボ取付用金具は、カメラ本体の上部に位置しているので、受信感度が上がり、人工衛星からの電波を良好に受信することができる。
【０００９】
請求項３に記載のカメラによれば、カメラ本体の既存の金具であって外部に露出しているストラップ取付用金具に、ＧＰＳ用のアンテナの機能を持たせたものである。これにより、ＧＰＳ装置自体にはアンテナが不要になるのでＧＰＳ装置が小型化し、したがって、小型で取り扱いの容易なＧＰＳ機能を有するカメラを提供できる。
【００１０】
請求項４に記載の発明は、前記目的を達成するために、カメラ本体と、前記カメラ本体に起伏自在なポップアップアーム部に取り付けられたストロボ発光部と、前記ストロボ発光部の前記ポップアップアーム部に設けられるとともに、位置測位システムの人工衛星から発信される電波を受信するアンテナと、を備えたことを特徴としている。
【００１１】
請求項４に記載のカメラによれば、ストロボ発光部のポップアップアーム部にＧＰＳ用のアンテナを設けることにより、アンテナの配線をストロボ発光部の配線と兼用でき、また双方の配線を併設できるので、配線処理が容易になる。また、ポップアップアーム部は、カメラ本体の上部から上方に起立するため、受信感度が上がり、人工衛星からの電波を良好に受信することができる。
【００１２】
請求項５に記載の発明は、請求項１、２、３又は４のうちいずれか一つに記載において、前記カメラのカメラ本体には、前記アンテナで受信した電波に含まれる情報に基づき地球上での受信位置情報を演算する演算部が着脱自在に取り付けられていることを特徴としている。
【００１３】
請求項５に記載のカメラは、ＧＰＳの受信位置情報を演算する演算部をカメラ本体に着脱自在に設けたカメラである。ＧＰＳを利用しない場合には、カメラ本体から取り外すことができる。
【００１４】
請求項６に記載の発明は、請求項５に記載において、前記演算部の本体は、前記カメラ本体の底部に設けられた三脚取付用雌ねじ部に雄ねじを介して取り付けられることを特徴としている。
【００１５】
請求項６に記載のカメラによれば、カメラ本体の底部に設けられた既存部品の三脚取付用雌ねじ部を利用して、前記演算部をカメラ本体の底部にねじを介して着脱自在に取り付けた。これにより、部品を追加することなく演算部をカメラ本体に取り付けることができるとともに、カメラの重心位置がカメラ本体の底部側に位置するので、カメラ本体を安定的に保持することができ、手振れし難くなるという利点がある。
【００１６】
請求項７に記載の発明は、請求項１、２、３又は４のうちいずれか一つに記載において、前記カメラのカメラ本体には、前記アンテナで受信した電波に含まれる情報に基づき地球上での受信位置情報を演算する演算部が内蔵されていることを特徴としている。
【００１７】
請求項７に記載のカメラは、ＧＰＳの受信位置情報を演算する演算部をカメラ本体に内蔵したカメラである。
【発明の効果】
【００１８】
以上説明したように本発明に係るカメラによれば、カメラ本体の既存の金具であって、例えばカメラ本体の外部に露出している外部ストロボ取付用金具、ストラップ取付用金具に、ＧＰＳ用のアンテナの機能を持たせたので、小型で取り扱いの容易なＧＰＳ機能を有するカメラを提供できる。
【発明を実施するための最良の形態】
【００１９】
以下添付図面に従って本発明に係るカメラの好ましい実施の形態について詳説する。
【００２０】
図１には、実施の形態に係るＧＰＳ機能付きカメラ１０の斜視図が示されている。
【００２１】
同図に示すカメラ１０は、被写体像を撮影レンズ１２を介して固体撮像素子に結像し、被写体像を電子データとして取得するデジタルカメラである。
【００２２】
カメラ１０のカメラ本体１４の前部には、撮影レンズ１２を保持するレンズ鏡胴１６が設けられ、レンズ鏡胴１６に回動自在に設けられたフォーカスリング１８を手動で回動させることにより撮影レンズ１２のフォーカスレンズが移動されて合焦操作される。また、カメラ本体１４の上部には、フラッシュ発光用トリガ接点１９を有するホットシュー（外部ストロボ取付用金具）２０が設けられ、このホットシュー２０に外付けストロボ装置（不図示）が取り付けられる。ホットシュー２０の前方には、ストロボ２２のポップアップアーム２３がカメラ本体１４に起伏自在に設けられている。このポップアップアーム２３は、ポップアップボタン２４を押圧操作することにより、カメラ本体１４側との係合が解除されて起立し、そのストロボ発光部が前方に向けられる。
【００２３】
更に、カメラ本体１４の上面には、撮影モードを切り替えるモードダイヤル２６、コマンドダイヤル２８が隣接配置され、また、カメラ本体１４のグリップ３０の上面にはシャッターボタン３２が配置されている。更にまた、カメラ本体１４の背面には電子ビューファインダ３４が設けられ、カメラ本体１４の側面にはスピーカ３６が配置されている。なお、符号３８は、撮影レンズ１２の前面に着脱自在に取り付けられるレンズキャップであり、符号４０は、カメラ本体の両側部に設けられたストラップメタル（ストラップ取付用金具）である。
【００２４】
同図に示すＧＰＳ機能付きカメラ１０は、金属製のホットシュー２０にＧＰＳのアンテナの機能を兼用させるとともに、アンテナであるホットシュー２０が受信したＧＰＳ人工衛星からの電波に含まれる情報に基づき地球上での受信位置情報を演算する位置演算回路部（演算部）４２（図３参照）をカメラ本体１４に内蔵させたカメラである。この位置演算回路部４２は、図２の如くホットシュー２０にＧＰＳ配線４４を介して接続された電子基板４６に実装されている。
【００２５】
ホットシュー２０が受信したＧＰＳ人工衛星からの電波信号は、図３の如くＧＰＳ配線４４を介して電子基板４６の信号増幅回路部４８によって増幅される。この後、位置演算回路部４２によって受信位置の緯度、経度が演算され、演算により求められた受信位置の緯度、経度の情報が、制御部５０に出力される。制御部５０は、出力された受信位置の緯度、経度の情報をカメラ１０で撮影した画像情報とともに、ＲＡＭ等の電子情報記録部５２に記録する。
【００２６】
したがって、図１〜図３に示したＧＰＳ機能付きカメラによれば、カメラ本体１４の既存部品であって外部に露出しているホットシュー２０に、ＧＰＳ用のアンテナの機能を持たせたので、ＧＰＳ装置自体のアンテナが不要になる。したがって、小型で取り扱いの容易なＧＰＳ機能付きのカメラを提供できる。また、ホットシュー２０は、カメラ本体１４の上部に位置しているので、受信感度が上がり、人工衛星からの電波を良好に受信することができる。
【００２７】
図４、図５は、カメラ本体１４の両側部に設けられたストラップメタル４０、４０に
ＧＰＳのアンテナの機能を兼用させるとともに、アンテナであるストラップメタル４０、４０が受信したＧＰＳ人工衛星からの電波に含まれる情報に基づき地球上での受信位置情報を演算する位置演算回路部（演算部）４２をカメラ本体１４に内蔵させたカメラである。この位置演算回路部４２は、図５の如くストラップメタル４０、４０にＧＰＳ配線４４を介して接続された電子基板４６に実装されている。電子基板４６の構成及び位置演算回路部４２等の情報処理方法は、図３に示したものと同一なので、ここではその説明を省略する。
【００２８】
したがって、図４、図５に示したＧＰＳ機能付きカメラによれば、カメラ本体１４の既存部品であって外部に露出しているストラップメタル４０、４０に、ＧＰＳ用のアンテナの機能を持たせたので、ＧＰＳ装置自体のアンテナが不要になる。したがって、小型で取り扱いの容易なＧＰＳ機能付きのカメラを提供できる。また、ストラップメタル４０は、ストラップ５６の両端を係止するものでカメラ本体１４に対して通常２カ所設けられているものである。したがって、カメラ１０の横向き縦向きの姿勢に影響されず、人工衛星からの電波を良好に受信することができる。
【００２９】
図６、図７は、ストロボ２２のポップアップアーム２３の先端部にＧＰＳのアンテナ５８、６０を取り付けるとともに、アンテナ５８、６０が受信したＧＰＳ人工衛星からの電波に含まれる情報に基づき地球上での受信位置情報を演算する位置演算回路部（演算部）をカメラ本体１４に内蔵させたカメラ１０である。
【００３０】
アンテナ５８、６０は図６の如く、ストロボ２２の発光部６２を包囲するように配置されるとともに、アンテナ５８は発光部６２の上面及び両側に配置され、アンテナ６０は発光部６２の下面に配置されている。
【００３１】
このカメラ１０のように、ストロボ２２のポップアップアーム２３にＧＰＳ用のアンテナ５８、６０を設けることにより、アンテナ５８、６０の配線を、キセノン管等のストロボ発光部の配線と兼用でき、また双方の配線を併設できるので、配線処理が容易になる。また、ポップアップアーム２３は、カメラ本体１４の上部から上方に起立するため、受信感度が上がり、人工衛星からの電波を良好に受信することができる。
【００３２】
図８は、ホットシュー２０又はストラップメタル４０にＧＰＳのアンテナの機能を兼用させたカメラ１０、若しくはカメラ１０のポップアップアーム２３にＧＰＳ用のアンテナを設けたカメラ１０である。また、地球上での受信位置情報を演算する演算部が内蔵されたＧＰＳ本体６２が、カメラ１０に着脱自在に取り付けられたカメラ１０である。
【００３３】
ＧＰＳ本体６２は矩形状の箱体であり、ＧＰＳ本体６２の上面には、カメラ本体１４の底部に設けられた三脚取付用雌ねじ６４に螺入される雄ねじ６６が突設され、その下面には、三脚６８のカメラ取付台７０に突設された雄ねじ７２が螺入する雌ねじ７４が形成されている。カメラ取付台７０は、三脚６８の中央に配置されたエレベータ部７６の上部に設けられる。また、エレベータ部７６は、三脚６８の本体７８に昇降自在に支持されるとともに、エレベータ部７６の外周面で軸方向に形成されたラック８０と、このラック８０に噛合されるピニオン（不図示）との送り作用によって昇降動作される。なお、前記ピニオンは、本体７８に回転自在に設けられたハンドル８２によって回転操作され、また、三脚６８の３本脚８４、８４、８４は本体７８にピン８６を介して開脚／閉脚自在にそれぞれ取り付けられている。
【００３４】
このように構成されたＧＰＳ機能付きカメラ１０によれば、カメラ本体１４の底部に設けられた既存部品の三脚取付用雌ねじ６４を利用して、ＧＰＳ本体６２をカメラ本体１４の底部に雄ねじ６６を介して着脱自在に取り付けることができる。これにより、カメラ１０の重心位置がカメラ本体１４の底部側に位置するので、カメラ本体１４を安定的に保持することができ、手振れし難くなる。
【００３５】
なお、実施の形態では、カメラ本体の既存の金具として、外部ストロボ取付用金具、ストラップ取付用金具を例示したが、これに限定されるものではなく、カメラ本体に設けられている金具であれば、それをＧＰＳ用アンテナとして兼用させてもよい。
【図面の簡単な説明】
【００３６】
【図１】実施の形態のカメラが示された全体斜視図
【図２】カメラのホットシューをＧＰＳアンテナとして利用したカメラの断面図
【図３】カメラのホットシューをＧＰＳアンテナとして利用したカメラの回路ブロック図
【図４】カメラのストラップメタルをＧＰＳアンテナとして利用したカメラの正面図
【図５】カメラのストラップメタルをＧＰＳアンテナとして利用したカメラの回路ブロック図
【図６】カメラのストロボにＧＰＳアンテナを取り付けたカメラの正面図
【図７】図６に示したカメラの側面図
【図８】カメラの三脚取付用ねじを利用してＧＰＳ本体をカメラの底部に取り付ける斜視図
【符号の説明】
【００３７】
１０…ＧＰＳ機能付きカメラ、１４…カメラ本体、２０…ホットシュー、２２…ストロボ、２３…ポップアップアーム、４０…ストラップメタル、４２…位置演算回路部、４４…ＧＰＳ配線、４６…電子基板、４８…信号増幅回路部、５０…制御部、５２…電子情報記録部、５８、６０…アンテナ、６２…ＧＰＳ本体、６４…三脚取付用雌ねじ、６６…雄ねじ、６８…三脚
【図１】
2006154278.tif 000003
【図２】
2006154278.tif 000004
【図３】
2006154278.tif 000005
【図４】
2006154278.tif 000006
【図５】
2006154278.tif 000007
【図６】
2006154278.tif 000008
【図７】
2006154278.tif 000009
【図８】
2006154278.tif 000010